(57)【特許請求の範囲】
【請求項１】
Ｖ字状の突出部が多数列設された蛇腹状の外周壁を備えた環状の製品を透過した軟Ｘ線量を２次元画像として検出して製品の断面形状における各部の肉厚を測定する肉厚測定装置であって、
前記Ｖ字状の突出部の山部、谷部および該山部または谷部を挟む隣り合う斜辺部の厚さを測定するものであって、
前記Ｖ字状の突出部の山部または谷部を挟む隣り合う斜辺部を延長した直線に基づいて得られた直線に沿う前記山部および谷部の厚さを測定する
ことを特徴とする肉厚測定装置。
【請求項２】
請求項１において、
前記Ｖ字状の突出部の山部または谷部を挟む隣り合う斜辺部を延長した直線の交点における２等分線と前記山部および谷部との交点を頂点として該２等分線に沿う前記山部および谷部の厚さを測定する
ことを特徴とする肉厚測定装置。
【請求項３】
請求項１において、
前記山部に近い部分における斜辺部の厚さを複数測定し、測定された複数の厚さデータの中の最小値に基づき厚さを測定する
ことを特徴とする肉厚測定装置。
【請求項４】
請求項１において、
前記谷部に近い部分における斜辺部の厚さを複数測定し、測定された複数の厚さデータの中の最大値に基づき厚さを測定する
ことを特徴とする肉厚測定装置。
【請求項５】
請求項１において、
前記製品を２次元方向に相対的に移動させることにより前記製品の測定すべき蛇腹状の外周壁を測定するようにした
ことを特徴とする肉厚測定装置。
【請求項６】
請求項５において、
前記製品を回転させることにより前記製品の等しい円周角毎の外周壁において、上記測定を行う
ことを特徴とする肉厚測定装置。
【請求項７】
請求項１において、
前記製品の上下の端部を位置決めされた上下の治具の円形凹部に介挿することにより、前記製品の位置および姿勢を規制する規制装置を備えている
ことを特徴とする肉厚測定装置。
【発明の詳細な説明】
【０００１】
【発明の属する技術分野】
本発明は、Ｖ字状の突出部が多数列設された蛇腹状の外周壁を備えた環状の製品を透過した軟Ｘ線量を２次元画像として検出して製品の断面形状における各部の肉厚を測定する肉厚測定装置に関する。
【０００２】
【従来の技術】
従来の肉厚測定方法は、Ｖ字状の突出部が多数列設された蛇腹状の外周壁ＯＷを備えた環状の製品Ｐを図１２に示されるように４分割し、その断面をノギスにて逐次測定していた。
【０００３】
また従来のベローズ製品の外径測定装置は、図１３に示されるように回転している真円輪郭形状物であるベローズ製品Ｐの外周面Ｏに、外径変位量検出手段としての接触子Ｃを接触させ、前記製品の外周面Ｏの変動に追従させることにより、外径を測定するものであった。
【０００４】
【発明が解決しようとする課題】
上記従来の肉厚測定方法は、前記製品Ｐを４分割して、その断面をノギスにて逐次測定するものであるため、測定者によるバラツキがあり、測定に要する時間が長いとともに、測定した製品は使用できないという問題があった。
【０００５】
すなわち、ノギス測定時の押さえ方の違い、測定ポイントのズレ、ワークのカット状態の違い等により、測定結果が人によるバラツキがあり、その差が大きいため登録作業として、特別な訓練をした人または熟練した人でないと測定出来ないという問題があった。
【０００６】
上記従来のベローズ製品の外径測定装置は、ベローズ製品の外周面Ｏに、外径変位量検出手段としての接触子Ｃを接触させることにより、外径を測定するものであるため、非破壊状態においては肉厚を測定することが出来ないという問題があった。
【０００７】
そこで、本発明者は、肉厚測定に利用することが出来るその他の測定技術について検討した。
【０００８】
内外径測定方式は、図１４に示されるように製品Ｐの内径と外径を各センサＩＳ、ＯＳによって同時に計測し、その差より肉厚を測定するものであるが、測定原理がシンプルであり、導入し易く、計測器のコストも安価であるが、ベローズ製品の蛇腹部の斜辺肉厚を測定できないとともに、製品の内部に測定ヘッドを入れるため、測定できる製品形状が限定され、測定ポイントを検索するのに、軸方向に連続して測定する必要があるという問題があった。
【０００９】
超音波方式は、図１５に示されるように測定面Ｍに測定子Ｈによって超音波による振動を与え、裏面での反射波との位相差によって計測するものであるが、測定原理がシンプルで導入し易く、計測器のコストが安価であるが、測定ポイントを検索するのに、軸方向に連続して測定する必要があり、測定子が傾くと誤差になるため、絶えず垂直を保つ必要があるという問題があった。
【００１０】
軟Ｘ線方式は、図１６に示されるようにＸ線光源Ｘから製品Ｐへ照射され、カメラＫによって検出されたＸ線の断面画像を計測し肉厚を測定するものであるが、非接触測定であり、多種類のワークに対応し易いとともに、拡大率が設定できるので分解能ＵＰが容易にできるが、設備コストが高くなる。
【００１１】
そこで本発明者は、Ｖ字状の突出部が多数列設された蛇腹状の外周壁を備えた環状の製品を透過した軟Ｘ線量を２次元画像として検出して製品の断面形状における各部の肉厚を測定する肉厚測定装置において、前記Ｖ字状の突出部の山部、谷部および該山部または谷部を挟む隣り合う斜辺部の厚さを測定するという本発明の技術的思想に着眼し、更に研究開発を重ねた結果、非接触による精確な厚さ測定を可能にし、測定者によるバラツキを無くして、測定に要する時間を短縮するとともに、測定した製品の使用を可能にするという目的を達成する本発明に到達した。
【００１２】
【課題を解決するための手段】
本発明（請求項１に記載の第１発明）の肉厚測定装置は、
Ｖ字状の突出部が多数列設された蛇腹状の外周壁を備えた環状の製品を透過した軟Ｘ線量を２次元画像として検出して製品の断面形状における各部の肉厚を測定する肉厚測定装置において、
前記Ｖ字状の突出部の山部、谷部および該山部または谷部を挟む隣り合う斜辺部の厚さを測定するものであって、
前記Ｖ字状の突出部の山部または谷部を挟む隣り合う斜辺部を延長した直線に基づいて得られた直線に沿う前記山部および谷部の厚さを測定する
ものである。
【００１３】
本発明（請求項２に記載の第２発明）の肉厚測定装置は、
前記第１発明において、
前記Ｖ字状の突出部の山部または谷部を挟む隣り合う斜辺部を延長した直線の交点における２等分線と前記山部および谷部との交点を頂点として該２等分線に沿う前記山部および谷部の厚さを測定する
ものである。
【００１４】
本発明（請求項３に記載の第３発明）の肉厚測定装置は、
前記第１発明において、
前記山部に近い部分における斜辺部の厚さを複数測定し、測定された複数の厚さデータの中の最小値に基づき厚さを測定する
ものである。
【００１５】
本発明（請求項４に記載の第４発明）の肉厚測定装置は、
前記第１発明において、
前記谷部に近い部分における斜辺部の厚さを複数測定し、測定された複数の厚さデータの中の最大値に基づき厚さを測定する
ものである。
【００１６】
本発明（請求項５に記載の第５発明）の肉厚測定装置は、
前記第１発明において、
前記製品を２次元方向に相対的に移動させることにより前記製品の測定すべき蛇腹状の外周壁を測定するようにした
ものである。
【００１７】
本発明（請求項６に記載の第６発明）の肉厚測定装置は、
前記第５発明において、
前記製品を回転させることにより前記製品の等しい円周角毎の外周壁において、上記測定を行う
ものである。
【００１８】
本発明（請求項７に記載の第７発明）の肉厚測定装置は、
前記第１発明において、
前記製品の上下の端部を位置決めされた上下の治具の円形凹部に介挿することにより、前記製品の位置および姿勢を規制する規制装置を備えている
ものである。
【００１９】
【発明の作用および効果】
上記構成より成る第１発明の肉厚測定装置は、Ｖ字状の突出部が多数列設された蛇腹状の外周壁を備えた環状の製品を透過した軟Ｘ線量を２次元画像として検出して製品の断面形状における各部の肉厚を測定する肉厚測定装置において、前記Ｖ字状の突出部の山部、谷部および該山部または谷部を挟む隣り合う斜辺部の厚さを測定するものであって、前記Ｖ字状の突出部の山部または谷部を挟む隣り合う斜辺部を延長した直線に基づいて得られた直線に沿う前記山部および谷部の厚さを測定するので、非接触による製品の厚さ測定を可能にし、測定者によるバラツキを無くして、測定に要する時間を短縮するとともに、測定した製品の使用を可能にするという効果を奏するとともに、前記山部および谷部の前記頂点の厚さを精確に測定するという効果を奏する。
【００２０】
上記構成より成る第２発明の肉厚測定装置は、前記第１発明において、前記Ｖ字状の突出部の山部または谷部を挟む隣り合う斜辺部を延長した直線の交点における２等分線と前記山部および谷部との交点を頂点として該２等分線に沿う前記山部および谷部の厚さを測定するので、前記山部および谷部の前記頂点の厚さを精確に測定するという効果を奏する。
【００２１】
上記構成より成る第３発明の肉厚測定装置は、前記第１発明において、前記山部に近い部分における斜辺部の厚さを複数測定し、測定された複数の厚さデータの中の最小値に基づき厚さを測定するので、前記山部に近い部分における斜辺部の厚さを精確に測定するという効果を奏する。
【００２２】
上記構成より成る第４発明の肉厚測定装置は、前記第１発明において、前記谷部に近い部分における斜辺部の厚さを複数測定し、測定された複数の厚さデータの中の最大値に基づき厚さを測定するので、前記谷部に近い部分における斜辺部の厚さを精確に測定するという効果を奏する。
【００２３】
上記構成より成る第５発明の肉厚測定装置は、前記第１発明において、前記製品を２次元方向に相対的に移動させることにより前記製品の測定すべき蛇腹状の外周壁を測定するようにしたので、前記製品の測定すべき蛇腹状の外周壁の厚さ測定を可能にするという効果を奏する。
【００２４】
上記構成より成る第６発明の肉厚測定装置は、前記第５発明において、前記製品を回転させることにより前記製品の等しい円周角毎の外周壁において、上記測定を行うので、前記製品の前記円周角毎の外周壁の厚さ測定を可能にするという効果を奏する。
【００２５】
上記構成より成る第７発明の肉厚測定装置は、前記第１発明において、前記規制装置を構成する位置決めされた前記上下の治具の前記円形凹部に、前記製品の上下の端部が介挿されるので、前記製品の位置および姿勢を規制することが出来るため、製品の位置のズレおよび傾きに基因する測定誤差の発生を防止して、精確な厚さ測定を可能にするという効果を奏する。
【００２６】
【発明の実施の形態】
以下本発明の実施の形態につき、図面を用いて説明する。
【００２７】
（実施形態）
本実施形態の肉厚測定装置は、図１に示されるようにＶ字状の突出部が多数列設された蛇腹状の外周壁を備えた環状の製品を透過した軟Ｘ線量を２次元画像として検出して製品の断面形状における各部の肉厚を測定する肉厚測定装置において、前記Ｖ字状の突出部の山部または谷部を挟む隣り合う斜辺部を延長した直線の交点における２等分線と前記山部および谷部との交点を頂点として該２等分線に沿う前記山部および谷部の厚さを測定するとともに、前記山部および前記谷部に近い部分における斜辺部の厚さを複数測定し、測定された複数の厚さデータの中の最小値および最大値に基づき厚さを測定するものである。
【００２８】
本実施形態の肉厚測定装置は、図２に示されるように軟Ｘ線を投射する軟Ｘ線光源１と、該軟Ｘ線光源１に対向して配設されたＸ線専用カメラ２と、前記軟Ｘ線光源１と前記Ｘ線専用カメラ２との間に配設され、測定対象である製品を把持して回転（θ）および２次元的移動（Ｘ、Ｙ）を可能にする３軸サーボより成るワーク搬送ユニット３と、前記軟Ｘ線光源１と前記Ｘ線専用カメラ２とワーク搬送ユニット３とを包囲してＸ線を遮蔽する鉄板製のカバー４と、該カバー４に配設され前記測定対象を出し入れする扉４１と、前記カバー４の下部のスペースに配設され、サーボ駆動装置および電源その他が配設された制御ボックス５と、前記カバー４の前面に配設され、前記測定対象の製品の品番入力や検査スタートを指示する操作ボックス６と、Ｉ／Ｏを介して前記Ｘ線専用カメラ２に画質改善装置を介して接続され計測されたＸ線画像の処理を行うパソコン本体７０と、メンテナンス用のキーボード７１、Ｘ線画像をモニターするＣＲＴモニター７２と、測定結果を出力して記録するプリンタ７３とから成る。
【００２９】
上記構成の本実施形態の肉厚測定装置の肉厚測定の基本的原理について、以下に述べる。
軟Ｘ線画像として、軟Ｘ線の透過性および被写体としての蛇腹状の外周壁を備えた環状の前記製品の軟Ｘ線減衰量の差を利用し、図８（Ａ）および（Ｂ）に示されるように前記カメラ２のＸ照射面上の位置によってＸ線のレベルが変化する樹脂ＣＶＪブーツの断面画像を得る。
【００３０】
前記Ｘ線専用カメラ２で入力検出した画像を、画像改善として、画質改善装置にて積分・濃淡強調することで、図８（Ｃ）に示されるように測定画像のエッジを明確にする。
【００３１】
肉厚測定における基準寸法の設定（キャリブレーション）として、画像から肉厚寸法を測定するための基準となる寸法を、ピクセルレートであらかじめ設定する。すなわち画像を構成する個々の輝点（ピクセル）が占有する寸法を設定し、測定対象物が何個の輝点で構成されているかをカウントし、寸法に変換する。
【００３２】
山谷頂点部の測定は、図１、図９および図１０に示されるように蛇腹の前記山部１０１または前記谷部１０２を挟む隣り合う斜辺部１０３、１０４に接線１１３、１１４を引き、その交点の２等分線１１１と前記製品の山部および谷部との交点部分である頂点１０５を含むウインドウ１１７内において厚さを測定する。
【００３３】
前記山部１０１および谷部１０２を挟む斜辺部１０３、１０４の厚さ測定は、蛇腹の山部または谷部の金型に接触する面より内側に複数の垂線１１５を引き、製品の厚みを測定する。すなわち斜辺に設定したウインドウ１１６内において等分割するように数本の垂線１１５を引き、前記山部１０１を挟む斜辺部１０３、１０４では垂線の一番短いもの、前記谷部を挟む斜辺部では垂線の一番長いものをそれぞれ選択して、その肉厚寸法とする。
【００３４】
蛇腹状の外周壁を備えた環状の前記製品のワークが、図６に示されるようにβの傾きがあると、傾きがない場合に対して図６中斜線で示すような画像のエッジのズレが発生するために測定誤差になる。
【００３５】
また蛇腹状の外周壁を備えた環状の前記製品のワークが、図７に示されるように前記軟Ｘ線光源１と前記Ｘ線専用カメラ２との間の正規の測定位置から位置ズレが生ずると測定画像における拡大率が変化するために測定誤差になる。
【００３６】
ワークの位置ズレによる誤差の例について検討する。Ｌ１は光源からのワークまでの距離であり、Ｌ２は光源からカメラまでの距離、ｘはワークの実寸、Ｘは画像の測定値である。
【００３７】
ワークの実寸は、以下の数２で示されるように以下の数１の関係から画像の測定値を拡大率（Ｌ２／Ｌ１）で割って求められる。
【数１】
0003587239.tif 000002
【数２】
0003587239.tif 000003
【００３８】
Ｌ１＝２００ｍｍ，Ｌ２＝６００ｍｍ，Ｘ＝６ｍｍ  とすると、
ｘはワークの実寸は、上記数２に上記値を代入すると、以下の数３に示されるように２ｍｍとなる。
【数３】
0003587239.tif 000004
【００３９】
ワークの位置が１ｍｍズレた場合、上記数２にズレた値２０１を代入すると、以下の数４に示されるように０．０１ｍｍの誤差となる。
【数４】
0003587239.tif 000005
【００４０】
本実施形態においては、上述した測定誤差を少なくするため、ワークの傾きおよび位置ズレを極力小さくする必要があるため、以下のようなワーク固定方法および規制装置としての固定治具を採用している。
【００４１】
小径側および大径側のクランプは、図５に示されるようにインローとし、製品セット時のズレおよび傾きを無くすものである。小径側のクランプと大径側のクランプの軸ズレ量を０．０２ｍｍ以下とする。Ｘ線光源・ワーククランプおよびカメラを同一ベースに配置し、各ユニットのズレが生じないようにするものである。
【００４２】
本実施形態における肉厚測定装置は、前記ワーク搬送ユニット３に前記製品１０をセットするためにセット位置を決めるための専用の治具を用いるものである。装置外で大径側押え治具８４上に前記製品１０を挿入載置する。この時治具の外周の凸部分８４１の内周側に前記製品の下端の外周を入れ込むことで位置が決められる。
【００４３】
次に小径押え治具８２を前記製品１０の上からスピンドル８１にセットする。この時治具８２の外周の凸部分８２１内側に製品外周を入れ込むことで位置を決めるものである。
【００４４】
上記治具と前記製品１０とのクリアランスは０．１ｍｍとし、位置ズレ量を少なくしている。製品をセットした治具本体を測定装置の前記ワーク搬送ユニット３にセットした時のスピンドル８１の傾き量を少なくしている。前記スピンドル８２２の上端にて回転時の軸ズレ量は水平方向で０．０１ｍｍ以下であり、スピンドル８１の下端部のテーパ形状の合わせ加工により上方から乗せるだけで精度が確保できるように構成されている。
【００４５】
製品セット後小径側押え治具８２をセットする際前記製品１０を自由長から約５ｍｍ押えてセットする。前記製品１０に厚肉部または薄肉部があると、その部位での蛇腹変形が変化するため測定時に異常が検出できる。
【００４６】
前記製品の移動は、Ｘ−Ｙ、θ（回転）軸を有する上述した３軸サーボ式移動装置で行う。この移動ポイントは、あらかじめ製品形状に合わせて内部メモリに設定しておく。
【００４７】
１回の画像入力で測定できるポイントは、各山部または谷部の頂点およびその近傍の両側の斜辺部のみで、上記移動と組み合わせて繰り返すことで全ポイントの測定を行うものである。
【００４８】
本実施形態の肉厚測定装置の測定手順について、図３に示される機能ブロックに従い説明する。
【００４９】
品種設定ステップ２０１において、測定する製品に対応する移動ポイント設定および肉厚を設定するために、品種毎に予めメモリに入力して格納してある移動ポイント設定および肉厚規格値を呼び出す。
【００５０】
製品セットステップ２０２において、測定する製品を装置外で上述したワークセット治具にセットし、その治具を装置の前記ワーク搬送ユニット３内の治具受けに乗せる。
【００５１】
治具への前記製品１０のセットは、図面中の小径側押さえ治具８２を上方に抜き、前記製品１０を上方から大径側押さえ治具８４に乗せ、さらに小径側押さえ治具８２を上方から下方に押さえるようにしてセットする。
【００５２】
前記製品１０と前記大径側押さえ治具８４および前記小径側押さえ治具８２とのクリアランスは、０．１ｍｍ以下となるようにしてあり、ワークセット治具を回転した際の軸ブレを極力少なくするようにしてある。
【００５３】
前記ワークセット治具の前記大径側押さえ治具８４と小径側押さえ治具８２の距離は、前記製品１０の全長を５ｍｍ短くした寸法とし、セット時に製品全長のバラツキを吸収し、測定ポイントが常に同位置となるようにされている。
【００５４】
検査ステップ２０３において、検査スタートスイッチが押されると、後述するように全自動で全ての測定ポイントを自動計測する。
【００５５】
製品移動ステップ２０４において、製品の測定ポイントが順次カメラの測定エリアに入るように移動する。移動はＸ、Ｙ，θ（９０°回転）の３軸のサーボ機構によって行われる。
【００５６】
画像入力ステップ２０５において、前記製品１０の測定ポイントの１つの測定ポイントの軟Ｘ線断面映像をカメラで入力検出する。すなわち軟Ｘ線の製品透過光量を利用し、製品の断面映像を得るのである。
【００５７】
画質改善ステップ２０６において、入力した断面映像の測定対象の肉厚を精度よく計測するための画質改善を画像処理装置を使用して行う。画像処理装置は、積分・濃淡強調する等の画像処理により、前記製品１０のエッジを明確にするとともに安定化させる。
【００５８】
肉厚測定ステップ２０７において、製品の測定ポイントの肉厚を上述した肉厚測定の基本的原理の下において、図１に従い計測する。
【００５９】
すなわちステップ３０１において、前記画像処理装置によって、積分・濃淡強調等の画像処理により、前記製品１０のエッジが明確にされ、登録された画像より、山部１０１、谷部１０２をサーチして位置決めする。
【００６０】
ステップ３０２において、前記山部１０１、谷部１０２を挟む上下斜辺部１０３、１０４の外側エッジより基準直線を設定する、すなわち前記上下斜辺部１０３、１０４に接する延長線１０３、１０４を設定する。
【００６１】
ステップ３０３において、前記２個の基準直線の交点において２等分線をひき、該２等分線と前記山部１０１または前記谷部１０２との交点を頂点１０５として、該頂点１０５を通る直線上における前記山部１０１または前記谷部１０２の厚さを測定する。
【００６２】
ステップ３０４において、蛇腹の山部または谷部の金型に接触する面（基準直線）より内側に複数の垂線１１５を引き、製品の厚みを測定する。すなわち前記山部１０１または前記谷部１０２に近い部位の斜辺部１０３、１０４に設定したウインドウ１１６内において等分割するように数本の垂線１１５を引き、前記山部１０１を挟む斜辺部１０３、１０４では垂線の一番短いもの、前記谷部を挟む斜辺部では垂線の一番長いものをそれぞれ選択して、その肉厚寸法とする。
【００６３】
ステップ３０５において、計測された寸法をフィードバックする。
【００６４】
良否判定ステップ２０８において、測定された肉厚寸法と対応する測定ポイントの規格値を比較して、良否を判定し、表示する。全測定ポイントで肉厚寸法が規格値以内であれば、その製品を良品と判定する。
【００６５】
測定結果記録ステップ２０９において、測定した前記製品１０の全測定ポイントの計測値および規格値を前記プリンタ７３にて記録するとともに、メモリに記録する。後にこの記録を利用し工程能力評価に使用するための統計解析用データとする。
測定結果チェックステップ２１０において、測定結果についてチェックを行い、製品取出ステップにおいて、測定が済んだ製品を取り出す。
【００６６】
上記構成より成る本実施形態の肉厚測定装置は、前記製品１０の前記Ｖ字状の突出部の山部、谷部および該山部または谷部を挟む隣り合う斜辺部の厚さを測定するので、非接触による製品の厚さ測定を可能にし、測定者によるバラツキを無くして、測定に要する時間を短縮するとともに、測定した製品の使用を可能にするという効果を奏する。
【００６７】
また本実施形態の肉厚測定装置は、前記Ｖ字状の突出部の山部または谷部を挟む隣り合う斜辺部を延長した直線の交点における２等分線と前記山部および谷部との交点を頂点として該２等分線に沿う前記山部および谷部の厚さを測定するので、前記山部および谷部の前記頂点の厚さを精確に測定するという効果を奏する。
【００６８】
さらに本実施形態の肉厚測定装置は、前記山部および前記谷部に近い部分における斜辺部の厚さを複数測定し、測定された複数の厚さデータの中の最小値および最大値に基づき厚さを測定するので、前記山部および前記谷部に近い部分における斜辺部の厚さを精確に測定するという効果を奏する。
【００６９】
また本実施形態の肉厚測定装置は、前記規制装置を構成する位置決めされた前記上下の治具８２、８４の前記円形凹部８２１、８４１に、前記製品１０の上下の端部が介挿されるので、前記製品１０の位置および姿勢を規制することが出来るため、製品の位置のズレおよび傾きに基因する測定誤差の発生を防止して、精確な厚さ測定を可能にするという効果を奏する。
【００７０】
本実施形態の肉厚測定装置における測定精度は、上述した従来のノギスによる測定の精度以上であり、熟練作業者によって測定結果の検定を行った結果、十分な精度が確保できていることが確認された。
【００７１】
本実施形態は、図１１に示される測定結果に基づき、成形における肉厚制御条件に肉厚ねらい値との差をフィードバックし、条件をねらい値に近付けるよう変更することが可能になる。このように成形にフィードバックすることが出来る肉厚寸法データが得られるのである。
【００７２】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【図面の簡単な説明】
【図１】本発明の実施形態の肉厚測定装置における製品の各部の厚さ測定の手順を示すチャート図である。
【図２】本実施形態の肉厚測定装置を示す斜視図である。
【図３】本実施形態の肉厚測定装置における測定手順を示す機能ブロック図である。
【図４】本実施形態における測定対象である製品の測定部位を説明する説明図である。
【図５】本実施形態における製品の位置および姿勢を規制する規制装置を示す断面図である。
【図６】本実施形態における製品の傾きによるエッジのズレを説明するための説明図である。
【図７】本実施形態における製品の位置ズレによる拡大率の変化を説明するための説明図である。
【図８】本実施形態におけるＸ線源から製品を介してカメラによって検出されたＸ線レベルおよび改質された画像を説明するための説明図である。
【図９】本実施形態における測定対象である製品の山部の頂点における厚さ測定の原理を説明するための説明図である。
【図１０】本実施形態における測定対象である製品の斜辺部の厚さ測定の原理を説明するための説明図である。
【図１１】本実施形態における製品の各測定部位における厚さ寸法のバラツキを示す線図である。
【図１２】従来における製品を４分割した測定を説明するための説明図である。
【図１３】従来における製品の外径測定の原理を示す断面図である。
【図１４】内・外径測定方式を説明するための説明図である。
【図１５】超音波方式を説明するための説明図である。
【図１６】軟Ｘ線方式を説明するための説明図である。
【符号の説明】
１０  製品
１０１  山部
１０２  谷部
１０３、１０４  斜辺部
１０５  頂点
１１１  ２等分線
【図１】
0003587239.tif 000006
【図２】
0003587239.tif 000007
【図３】
0003587239.tif 000008
【図４】
0003587239.tif 000009
【図５】
0003587239.tif 000010
【図６】
0003587239.tif 000011
【図７】
0003587239.tif 000012
【図８】
0003587239.tif 000013
【図９】
0003587239.tif 000014
【図１０】
0003587239.tif 000015
【図１１】
0003587239.tif 000016
【図１２】
0003587239.tif 000017
【図１３】
0003587239.tif 000018
【図１４】
0003587239.tif 000019
【図１５】
0003587239.tif 000020
【図１６】
0003587239.tif 000021